(57)【要約】【課題】電解液のアウターケース内部への流出を抑えることができる電動リール用バッテリーを提供する。【解決手段】電動リール用バッテリー１は、ラミネート型の複数のセル２と、セル２を収納するインナーケース３と、インナーケース３を収納するアウターケース５とを備える。【選択図】図２
2007227172.tif 000002
【特許請求の範囲】
【請求項１】
ラミネート型の複数のセルと、
前記セルを収納するインナーケースと、
前記インナーケースを収納するアウターケースと、
を備える電動リール用バッテリー。
【請求項２】
前記インナーケースは密閉構造を有する、
請求項１に記載の電動リール用バッテリー。
【請求項３】
前記インナーケースの外部に配置される回路基板をさらに備え、
前記アウターケースは、前記インナーケースと前記回路基板とを収納する、
請求項１または２に記載の電動リール用バッテリー。
【請求項４】
前記セルは平坦な板状の外形を有する、
請求項１から３のいずれかに記載の電導リール用バッテリー。
【請求項５】
前記インナーケースの内面の少なくとも一部は、前記セルの中央部と対向する部分ほど前記セルとの隙間が大きくなるように形成されている、
請求項４に記載の電動リール用バッテリー。
【請求項６】
前記セルは、リチウムイオン電池である、
請求項１から５のいずれかに記載の電動リール用バッテリー。
【発明の詳細な説明】
【技術分野】
【０００１】
本発明は、電動リール用バッテリーに関する
【背景技術】
【０００２】
近年、電動リールの電源として、持ち運びの容易な電動リール用バッテリーが利用されている。この電動リール用バッテリーは、例えばリチウムイオン電池などの複数のセルがアウターケースの内部に収納されたものであり、充電することによって繰り返し使用することができる（特許文献１）。
【特許文献１】特開２００２−２７６７６４号公報
【発明の開示】
【発明が解決しようとする課題】
【０００３】
一方、セルの外装容器としては、従来の金属缶型に代わり薄型のラミネート型がよく用いられるようになっている。このラミネート型のセルは、薄型化、軽量化において利点を有するが、不適切に使用された場合など取り扱いによっては、電解液漏れが生じる恐れがある。この場合、上記のような電動リール用バッテリーでは、アウターケースの内部に電解液が流出する恐れがある。
【０００４】
本発明の課題は、電解液のアウターケース内部への流出を抑えることができる電動リール用バッテリーを提供することにある。
【課題を解決するための手段】
【０００５】
第１発明の電動リール用バッテリーは、ラミネート型の複数のセルと、セルを収納するインナーケースと、インナーケースを収納するアウターケースとを備える。
【０００６】
この電動リール用バッテリーでは、アウターケースの内部に、セルを収納するインナーケースが収納されている。このため、もし、ラミネート型のセルから電解液が漏れたとしても、インナーケースによってアウターケースへの電解液の流出を抑えることができる。これにより、この電動リール用バッテリーでは、電解液のアウターケース内部への流出を抑えることができる。
【０００７】
第２発明の電動リール用バッテリーは、第１発明の電動リール用バッテリーであって、インナーケースは密閉構造を有する。
【０００８】
この電動リール用バッテリーでは、インナーケースが密閉構造を有するため、電解液のアウターケース内部への流出をより抑えることができる。
【０００９】
第３発明の電動リール用バッテリーは、第１発明または第２発明の電動リール用バッテリーであって、インナーケースの外部に配置される回路基板をさらに備える。そして、アウターケースは、インナーケースと回路基板とを収納する。
【００１０】
この電動リール用バッテリーでは、回路基板はインナーケースの外部に配置されており、インナーケースと共にアウターケースの内部に収納される。このため、セルから電解液が漏れたとしても、回路基板が電解液に接触することを抑えることができる。
【００１１】
第４発明の電動リール用バッテリーは、第１発明から第３発明のいずれかの電動リール用バッテリーであって、セルは平坦な板状の外形を有する。
【００１２】
この電動リール用バッテリーでは、セルが平坦な板状の外形を有するため、複数のセルをコンパクトにインナーケース内に収納することができる。
【００１３】
第５発明の電動リール用バッテリーは、第４発明の電動リール用バッテリーであって、インナーケースの内面の少なくとも一部は、セルの中央部と対向する部分ほどセルとの隙間が大きくなるように形成されている。
【００１４】
この電動リール用バッテリーでは、インナーケースの内面の少なくとも一部において、セルの中央部とインナーケースの内面との間に隙間が確保されている。このため、セルが膨張した場合でも、セルやインナーケースに過剰な負荷が掛かることを防止することができる。
【００１５】
第６発明の電動リール用バッテリーは、第１発明から第５発明のいずれかの電動リール用バッテリーであって、セルは、リチウムイオン電池である。
【００１６】
リチウムイオン電池では、電解液として可燃性の有機溶剤が用いられるため、不適切な使用等によって電解液漏れが生じた場合には、漏れ出した電解液によって短絡を起こし、短絡による温度上昇によって発火する恐れがある。
【００１７】
しかし、この電動リール用バッテリーでは、インナーケースによって電解液がアウターケース内に流出することを抑えることがでるため、リチウムイオン電池が用いられる場合であっても、安全性を向上させることができる。
【発明の効果】
【００１８】
本発明に係る電動リール用バッテリーでは、アウターケースの内部に、セルを収納するインナーケースが収納されている。このため、もし、ラミネート型のセルから電解液が漏れたとしても、インナーケースによってアウターケースへの電解液の流出を抑えることができる。これにより、この電動リール用バッテリーでは、電解液のアウターケース内部への流出を抑えることができる。
【発明を実施するための最良の形態】
【００１９】
＜構成＞
本発明の一実施形態に係る電動リール用バッテリー１を図１に示す。この電動リール用バッテリー１は、電気ケーブル等によって電動リールと接続され、電動リールの電源として用いられる。電動リール用バッテリー１は、充電によって繰り返し使用可能であり、持ち運び自在な小型のものである。この電動リール用バッテリー１は、図２に示すように、複数のセル２、インナーケース３、回路基板４、アウターケース５を備える。
【００２０】
〔セル２〕
セル２は、アルミラミネートフィルムを外装とするラミネート型のリチウムイオン電池である。セル２は、図３及び図４に示すように、長方形の平坦な薄板状の外形を有しており、ここでは８つのセル２が設けられている。
【００２１】
これらのセル２は、４つずつ２つのセルユニット（以下、「第１セルユニット２１」、「第２セルユニット２２」と呼ぶ）に分けられている。第１セルユニット２１のセル２は、最大面積を有する面が互いに接触するように組み合わされて一体とされており、水平方向に積層して配置されている。第２セルユニット２２についても同様である。第１セルユニット２１と第２セルユニット２２とは、セル２の積層方向に、すなわち水平方向に、セル２が膨張しても接触しない程度の距離を隔てて互いに平行に配置されている。
【００２２】
また、各セル２の側面からは電極端子２３が側方に突出している。なお、図２から図４においては、１つの電極端子２３についてのみ符号を付して他は省略している。
【００２３】
〔インナーケース３〕
インナーケース３は、セル２を収納する筐体であり、ＡＢＳやＰＰなどの樹脂で形成されている。インナーケース３は、図３および図４に示すように、別体の２つの筐体（以下、「第１筐体３１」、「第２筐体３２」と呼ぶ）によって構成されている。
【００２４】
第１筐体３１と第２筐体とは、セル２の積層方向に並んで組み合わされている。第１筐体３１と第２筐体３２とは概ね対称な形状を有しており、第１筐体３１には第１セルユニット２１が収納され、第２筐体３２には第２セルユニット２２が収納されている。第２筐体３２の開口の縁部には縁部に沿って山型の凸部３３が設けられており、第１筐体３１の開口の縁部には縁部に沿って谷形の凹部３４が設けられている。この凸部３３と凹部３４とが嵌合して接着剤等によって接合されることによって、インナーケース３の内部が密閉されている。
【００２５】
また、図３に示すように、インナーケース３の内面のうち、セル２の最大面積を有する面と対向する面は、傾斜したテーパ面３５となっている。このテーパ面３５は、セル２の高さ方向における中央部に対向する部分（以下、単に「セル２の中央部」と呼ぶ）に向かうほどセル２との隙間が大きくなるように形成されている。また、セル２の上端部と下端部とはインナーケース３の内面に近接している。このため、インナーケース３の内側面は、セル２の中央部に対向する部分が外側に膨出した形状となっている。このテーパ面３５は、第１筐体３１と第２筐体３２とにそれぞれ設けられている。また、インナーケース３の内面のうちセル２の最大面積を有する面と対向する面以外の面も僅かに外側に膨出した形状となっている。
【００２６】
なお、セル２の上端部とインナーケース３の内面との間、および、セル２の下端部とインナーケース３の内面との間には、セル２を支持する弾性部材（図示せず）が設けられている。
【００２７】
さらに、インナーケース３の側面には、複数の開口３６が設けられており、各開口３６からセル２の電極端子２３がインナーケース３の外部に突出している。これらの開口３６の縁部と電極端子２３との間には樹脂が充填されており、開口３６と電極端子２３との隙間が封止されている。
【００２８】
〔回路基板４〕
回路基板４は、図２に示すように、インナーケース３の外部に配置されており、インナーケース３の側面から突出する電極端子２３と電気ケーブル（図示せず）を介して接続されている。回路基板４は、インナーケース３と共にアウターケース５の内部に収納されている。この回路基板４は、セル２の充電容量を制御する充電制御回路や電動リールへの出力を制御する出力制御回路などを有しており、セル２の過充電や過放電を防止することができる。回路基板４は、インナーケース３の上方に配置されている。
【００２９】
〔アウターケース５〕
アウターケース５は、インナーケース３と回路基板４とを収納する筐体であり、電動リール用バッテリー１の外装を構成している。アウターケース５は、インナーケース３と同様に樹脂で形成されている。アウターケース５の上面には、図１に示すように、２つの凹部５１が設けられており、各凹部５１には外部電極端子５２が設けられている。外部電極端子５２は、屈曲した形状を有する金属棒であり、充電器や電動リールと接続された電気ケーブルが着脱自在に接続される。外部電極端子５２は、アウターケース５の内部において上述した回路基板４と接続されている。
【００３０】
なお、アウターケース５は、図２に示すように、別体の２つの筐体（以下、「上部筐体５３」、「下部筐体５４」と呼ぶ）を有しており、上部筐体５３と下部筐体５４とは、螺子５５によってパッキン５９を抑えながら一体的に固定され、防水構造を形成している。
【００３１】
＜特徴＞
（１）
この電動リール用バッテリー１では、アウターケース５の内部に、セル２を収納するインナーケース３が設けられており、インナーケース３はセル２からの電解液漏れ防止のために密閉構造となっている。このため、セル２において電解液漏れが生じた場合でもアウターケース５の内部に電解液が流出することを抑えることができ、安全性が向上している。
【００３２】
（２）
この電動リール用バッテリー１では、インナーケース３の内面とセル２との間にセル２の膨張分の隙間が設けられている。このため、セル２が膨張した場合にインナーケース３やセル２に過剰な負荷が加わることを防止することができ、セル２の破損を防止することができる。
【００３３】
＜他の実施形態＞
（Ａ）
上記の実施形態では、リチウムイオン電池のセル２が用いられているが、本発明の対象となる電池はこれに限られるものではなく、ラミネート型のセルであって電解液漏れによる危険性の高いものに対して有効である。
【００３４】
（Ｂ）
上記の実施形態では、インナーケース３の内面にテーパ面３５が設けられることによって、セル２との間に隙間が設けられているが、テーパ面３５ではなく湾曲面によってセルとの間に隙間が設けられてもよい。
【産業上の利用可能性】
【００３５】
本発明は、電解液のアウターケース内部への流出を抑えることができる効果を有し、電動リール用バッテリーとして有用である。
【図面の簡単な説明】
【００３６】
【図１】電動リール用バッテリーの外観斜視図。
【図２】電動リール用バッテリーの断面図。
【図３】インナーケースの側面図。
【図４】インナーケースの断面図。
【符号の説明】
【００３７】
１      電動リール用バッテリー
２      セル
３      インナーケース
４      回路基板
５      アウターケース
【図１】
2007227172.tif 000003
【図２】
2007227172.tif 000004
【図３】
2007227172.tif 000005
【図４】
2007227172.tif 000006